(57)【要約】  【課題】  治具によって尾栓の空気孔が塞がれてしまい、その結果、嵌着する過程において尾栓が軸筒に対して移動するため、その軸筒内が圧縮された状態になってしまっていた。そして、嵌着終了後、治具を尾栓から離脱させると、軸筒内の圧縮された空気が一気に空気孔から解放されるが、この時、軸筒内に収納されているインキも空気の移動に連なって尾栓の方向に向けて移動してしまう危険性があった。そして、そのインキの移動により、収納されているインキの中間部に空気の層が発生してしまったり、ややもすると、尾栓の空気孔からインキが漏れ出してしまう危険性があった。  【解決手段】  軸筒の内部にインキが収納され、その軸筒の後部に尾栓が取り付けられた筆記具であって、その尾栓に軸筒の内部と外部を連通する貫通孔を形成すると共に、その貫通孔の周囲に突部を形成したことを特徴とする筆記具の尾栓。【選択図】  図４
2010005975.tif 000002
【特許請求の範囲】
【請求項１】
軸筒の内部にインキが収納され、その軸筒の後部に尾栓が取り付けられた筆記具であって、その尾栓に軸筒の内部と外部を連通する貫通孔を形成すると共に、その貫通孔の周囲に突部を形成したことを特徴とする筆記具の尾栓。
【請求項２】
前記突部を貫通孔の開口端部とオフセットさせた位置に形成したことを特徴とする請求項１記載の筆記具の尾栓。
【請求項３】
前記尾栓の内部に筒状部を形成すると共に、その筒状部の内面を前記貫通孔としたことを特徴とする請求項１、或いは、請求項２に記載の筆記具の尾栓。
【発明の詳細な説明】
【技術分野】
【０００１】
本発明は、軸筒の内部にインキが収納され、その軸筒の後部に尾栓が取り付けられた筆記具の尾栓に関するものである。
【背景技術】
【０００２】
先端にペン体チップが配置され、尾端に、有底筒状であって空気孔を有する尾栓が嵌着された軸筒内にインキが直接充填された直液式筆記具において、前記軸筒の尾端側は、周囲にペースト状の逆流防止体が塗布された柱状体によって封止されるとともに、該柱状体の前方にインキが充填され、ペン体チップを上向き姿勢にして柱状体が逆流防止剤とともに下降したときに、柱状体の尾端が尾栓の前端縁に当接して尾栓の先端開口を塞ぐ直液式筆記具が知られている。
【特許文献１】特開平８−２７６６９２号公報
【発明の開示】
【発明が解決しようとする課題】
【０００３】
軸筒に尾栓を組み付け・嵌着する場合、一般的には、尾栓に治具を押し当て、軸筒に圧入・嵌着する。前記の従来技術も例外ではなく、尾栓は治具によって軸筒に押し付けられ、嵌着されるものとなっている。
しかし、従来の技術にあっては、治具によって尾栓の空気孔が塞がれてしまい、その結果、嵌着する過程において尾栓が軸筒に対して移動するため、その軸筒内が圧縮された状態になってしまっていた。そして、嵌着終了後、治具を尾栓から離脱させると、軸筒内の圧縮された空気が一気に空気孔から解放されるが、この時、軸筒内に収納されているインキも空気の移動に連なって尾栓の方向に向けて移動してしまう危険性があった。そして、そのインキの移動により、収納されているインキの中間部に空気の層が発生してしまったり、ややもすると、尾栓の空気孔からインキが漏れ出してしまう危険性があった。
【課題を解決するための手段】
【０００４】
本発明は、軸筒の内部にインキが収納され、その軸筒の後部に尾栓が取り付けられた筆記具であって、その尾栓に軸筒の内部と外部を連通する貫通孔を形成すると共に、その貫通孔の周囲に突部を形成したことを要旨とする。
【発明の効果】
【０００５】
本発明は、軸筒の内部にインキが収納され、その軸筒の後部に尾栓が取り付けられた筆記具であって、その尾栓に軸筒の内部と外部を連通する貫通孔を形成すると共に、その貫通孔の周囲に突部を形成したので、尾栓を軸筒に取り付ける際、軸筒内を圧縮させることなく取り付けることができ、これによって、インキ中における空気の層の発生を防止することができると共に、インキの漏れも極力防止することができる。
【発明を実施するための最良の形態】
【０００６】
添付図面に基づき説明する。
1214789525117_0
に示す筆記具は、ポリプロピレン樹脂製のインキ筒１の先端にチップホルダー２を介して金属製または合成樹脂製のボールホルダーと超硬合金製やセラミックなどのボール３ａからなるボールペンペン先３を接続し、後端に尾栓４を配したボールペン本体と、ボールペンペン先３を密封するためにボールペン本体の先部分を被覆するキャップ５より構成されている。
前記尾栓４の内側には、筒状部４ａが形成されており、その筒状部４ａの内面を貫通した通気孔４ｂとしている。その通気孔４ｂは、後端開口部に向けて拡開した２段階の内径を有する通気孔となっている。符号４ｃは後端開口部付近に形成された第１通気孔であり、その第１通気孔４ｃの前方には、その第１通気孔４ｃよりも小径な第２通気孔４ｄが連接して形成されている。また、尾栓４の底面の表面であって、前記通気孔４ｂの周囲の３個所には、扇型をなした突部４ｅが放射状に形成されている。そして、その３個の突部４ｅによって前記通気孔４ｂの周りには、星型状の溝部４ｆが形成されている。また、前記突部４ｅの起立部４ｇは、前記通気孔４ｂの後端開口縁とはオフセットされた位置にある。即ち、突部４ｅの起立部４ｇは通気孔４ｂの後端開口縁と離隔した位置に形成されているのである。
尚、前記突部４ｅは、尾栓４の後端周縁部においては連結されており、これによって、前記溝部４ｆは閉じられた溝部となっている。
次に、作用について説明する。インキ筒１に尾栓４を圧入する際、治具が尾栓４の後端部を覆っても、インキ筒１内で圧縮されようとする空気は、通気孔４ｂ、並びに、突部４ｅによって形成された溝部４ｆを経てインキ筒１の外側へと放出される。
また、万が一、通気孔４ｂを経て漏れてしまったインキは、溝部４ｆに蓄えられる。よって、その漏れたインキによって、直ちに、紙面や指、ポケットなどが汚されることがない。そして、再び筆記動作などによりボールペン先３を下方に向けた場合には、漏れたインキがインキ筒内へと完全にではないが復帰する。
【０００７】
また、前記インキ筒１内には剪断減粘性を有する水性インキ６と、このインキ界面に接触して主に、ゲル化ポリブテンからなる逆流防止体組成物７とこの逆流防止体組成物７に少なくとも一部を浸漬した浮体８が収容配置されている。また、前記キャップ５の内奥には、ボールペンペン先３と当接して弾性変形しボールペンペン先３のボール３ａ周辺の先端開口部を密封するゴム状弾性体からなる円板状のペン先保護部材９が配置されている。その円板状のペン先保護部材に変え、球状のペン先保護部材としても良いが、各部材の寸法やペン先の位置決め性を考慮すると円板状のペン先保護部材とするのが好ましい。つまり、球状のペン先保護部材であっては、ペン先の当接位置が球状の中心から外れてしまうと、密封精度が低下してしまう危険性がある。これに対し、円板状のペン先保護部材は、ペン先が当接する箇所が面状であるため、多少中心から外れてしまっても良好に密封することができるものとなっている。
【０００８】
前記ボールペンペン先３からのインキ乾燥やインキの漏れだしを抑制する前記キャップ５は、ボールペンの本体に装着され、実質的にボールペンペン先３を被覆するものであり、溶剤透過性の低いポリプロピレン樹脂が好適に使用できるものであるが、インキ漏れだしの確実な防止のためには、前記ボールホルダー２の先端開口部を被覆するゴム状弾性体をキャップ内に供えていることがより好ましい。
【０００９】
前記のゴム状弾性体は、ゴムおよび／またはプラスチック原料によるものであるが、ゴム材質としては、天然ゴム、イソプレンゴム、１，２−ポリブタジエン、スチレン−ブタジエンゴム、クロロプレンゴム、ニトリルゴム、ブチルゴム、エチレン−プロピレンゴム、エチレン−プロピレン−ジエンゴム、エチレン−酢酸ビニルゴム、アクリルゴム、エチレン−アクリルゴム、クロロスルホン化ポリエチレン、塩素化ポリエチレン、多硫化ゴム、エピクロルヒドリンゴム、シリコーンゴム、ウレタンゴム、フッ素ゴムなどの合成加硫ゴムがあげられる。
【００１０】
また、プラスチック原料としては、ポリスチレン系エラストマー、ポリオレフィン系エラストマー、ポリウレタン系エラストマー、ポリエステル系エラストマー、ポリアミド系エラストマー、１，２−ポリブタジエン系エラストマー、エチレン−酢酸ビニル系エラストマー、ポリ塩化ビニル系エラストマーなどの熱可塑性エラストマーがあげられる。特に密閉性を付加したいときには形状復元性が高い永久圧縮歪みの小さいゴム材質を選ぶことが好ましい。また、ゴムに添加される可塑剤や充填材についても、インキとの非反応性や当接するボールやボールホルダーに対する非反応性、溶解性などの影響の少ないものを使用すべきである。
【００１１】
次に、キャップ５について説明する。キャップ５は、キャップ本体１０とそのキャップ本体１０の頭部に固着され、射出成形によって成形された頭冠１１ならびに金属製のクリップ１２から構成されているが、そのクリップ１２はキャップ本体１０や頭冠１１と一体に形成してもよい。その頭冠１１はキャップ本体１０に対して液密状態で圧入・固定されているが、必ずしもその必要はない。キャップ本体１０の天面は斜めに形成された開口部１３となっている。また、頭冠１１には、クリップ１２が取り付けられる基部１４が突出した状態で形成されており、その基部１４はキャップ本体１０の前端開口部から露出している。
【００１２】
一方、前記頭冠１１の天面もキャップ本体１０の長手方向にむかって傾斜した天面部１５になっている。そして、その天面部１５の下方には筒部１６が垂下した状態で形成されている。そして、その筒部１６の表面には、溝部１７が形成されており、前記キャップ本体１０の内面に形成された円周上の突起１８が嵌り込んでいる。つまり、これら溝部１７と突起１８との係合によって、頭冠１１のキャップ本体１０に対する脱落が防止されているのである。
また、頭冠１１の筒部１６の内部には、前記円板状のペン先保護部材９を保持する際の前方規制部となる縦リブ１９が放射状に複数設けられており、その縦リブ１９の後方隣接部分がペン先保護部材９を保持する周壁面２０となっている。そして、その周壁面２０の内径は、ペン先保護部材９の外径よりも小径寸法になっている。即ち、縦リブ１９の後端と周壁面２０によってペン先保護部材９が保持されることになるのである。
尚、本実施例においては、円板状のペン先保護部材９の上方には逃げ空間部２１が形成されている。ペン先３がペン先保護部材９に当接し、そのペン先保護部材９が上方に向かって変形した際の逃げ部となっているのである。
【００１３】
第２例を図７〜図９に示し説明する。尾栓に形成する突部の変形例である。尾栓２２の内側には、筒状部２２ａが形成されており、その筒状部２２ａの内面を貫通した通気孔２２ｂとしている。その通気孔２２ｂは、後端開口部抜けて拡開した２段階の内径を有する通気孔となっている。符号２２ｃは後端開口部付近に形成された第１通気孔であり、その第１通気孔２２ｃの前方には、その第１通気孔２２ｃよりも小径な第２通気孔２２ｄが連接して形成されている。また、尾栓４の底面の表面であって、前記通気孔２２ｂの周囲の１０個所には、直線状の突部２２ｅが放射状に形成されている。そして、その隣り合う突部２２ｅによって溝部４ｆも放射状に形成される。また、前記突部２２ｅは、通気孔４ｂの後端開口縁とはオフセットされた位置にある。即ち、突部２２ｅの端部２２ｇは通気孔４ｂの後端開口縁と離隔した位置に形成されているのである。
本例においては、直線状の突部２２ｅとしているため、前記第１例に比し、溝部４ｆの体積を増大させることができ、これによって、万が一漏れてしまったインキの保持量も多くなる。
【００１４】
第３例を図１０〜図１２に示し説明する。尾栓に形成する突部の変形例である。尾栓２２の内側には、筒状部２３ａが形成されており、その筒状部２３ａの内面を貫通した通気孔２３ｂとしている。その通気孔２３ｂは、後端開口部抜けて拡開した２段階の内径を有する通気孔となっている。符号２３ｃは後端開口部付近に形成された第１通気孔であり、その第１通気孔２３ｃの前方には、その第１通気孔２３ｃよりも小径な第２通気孔２３ｄが連接して形成されている。また、尾栓４の底面の表面であって、前記通気孔２３ｂの周囲の４個所には、半球状の突部２３ｅが放射状に形成されている。そして、その隣り合う突部２３ｅによって溝部２２ｆも放射状に形成される。また、前記突部２３ｅは、通気孔４ｂの後端開口縁とはオフセットされた位置にある。即ち、突部２３ｅは通気孔４ｂの後端開口縁と離隔した位置に形成されているのである。
本例においては、半球状の突部２３ｅとしているため、治具で尾栓２２を圧入する際、治具に対して突部２３ｅが点で接触することになる。これによって、尾栓２２と治具との接触面積が少なくなり、尾栓への傷の防止が図れるものとなっている。
【図面の簡単な説明】
【００１５】
【図１】本発明の第１例を示す縦断面図。
【図２】第１例の尾栓を示す縦断面図。
【図３】図２の底面外観図。
【図４】第１例の尾栓を示す外観斜視図。
【図５】作用を示す縦断面図。
【図６】図５の底面外観図。
【図７】第２例を示す縦断面図。
【図８】図７の底面外観図。
【図９】第２例の外観斜視図。
【図１０】第３例を示す縦断面図。
【図１１】図１０の底面外観図。
【図１２】第３例の外観斜視図。
【符号の説明】
【００１６】
１      インキ筒
２      チップホルダー
３      ボールペン先
４      突部
５      キャップ
６      インキ
７      逆流防止体組成物
８      浮体
９      ペン先保護部材
１０    キャップ本体
１１    頭冠
１２    クリップ
１３    開口部
１４    基部
１５    天面部
１６    筒部
１７    溝部
１８    突起
１９    縦リブ
２０    周壁面
２１    逃げ空間部
２２    尾栓
２３    尾栓
【図１】
2010005975.tif 000003
【図２】
2010005975.tif 000004
【図３】
2010005975.tif 000005
【図４】
2010005975.tif 000006
【図５】
2010005975.tif 000007
【図６】
2010005975.tif 000008
【図７】
2010005975.tif 000009
【図８】
2010005975.tif 000010
【図９】
2010005975.tif 000011
【図１０】
2010005975.tif 000012
【図１１】
2010005975.tif 000013
【図１２】
2010005975.tif 000014